(57)【要約】【課題】筒状体の外周面に巻き上げ用糸をスパイラル状に容易に巻き付けることができ、糸挿通部の強度に優れ、また、容易に製造することのできる形状付与具を提供すること。【解決手段】一端部に被挿入物の取り込み口２１を有し該取り込み口２１から被挿入物を挿入可能な筒状体２と、該筒状体２の巻き上げ用の巻き上げ用糸３とを備え、前記筒状体２の外周面に、前記巻き上げ用糸３を挿通案内する挿通孔部５が、それぞれ所定間隔をあけて複数個設けられており、前記巻き上げ用糸３は、その一端３１が前記筒状体２の他端部２２の近傍に止着され、前記挿通孔部５に順次挿通案内されて該筒状体２の外周面にスパイラル状に巻き付けられており、前記各挿通孔部５は、それぞれ、前記巻き上げ用糸３を跨がせた短片４１における該巻き上げ用糸３を挟んだ両側縁部４３を、該筒状体２の外周面に接合させて形成されている。【選択図】    図１
2005046175.tif 000002
【特許請求の範囲】
【請求項１】
一端部に被挿入物の取り込み口を有し該取り込み口から被挿入物を挿入可能な筒状体と、該筒状体の巻き上げ用の巻き上げ用糸とを備え、前記筒状体の外周面に、前記巻き上げ用糸を挿通案内する挿通孔部が、それぞれ所定間隔をあけて複数個設けられており、前記巻き上げ用糸は、その一端が前記筒状体の他端部の近傍に止着され、前記挿通孔部に順次挿通案内されて該筒状体の外周面にスパイラル状に巻き付けられており、
前記各挿通孔部は、それぞれ、前記巻き上げ用糸を跨がせた短片における該巻き上げ用糸を挟んだ両側端部を、該筒状体の外周面に接合させて形成されている形状付与具。
【請求項２】
複数個の前記短片は、何れも、前記巻き上げ用糸を前記筒状体の軸方向に跨ぎ、該短片の前記両側端部が該筒状体の外周面に接合されている請求項１記載の形状付与具。
【請求項３】
複数個の前記短片は、互いに隣接する前記両側端部がそれぞれ接続され、１本の帯状部材を形成している請求項２記載の形状付与具。
【請求項４】
前記帯状部材は、前記筒状体の外周面を軸方向に２分する位置にそれぞれ設けられている請求項３記載の形状付与具。
【請求項５】
複数個の前記短片は、何れも、前記巻き上げ用糸を該巻き上げ用糸に沿って跨ぎ、該短片の前記両側端部が該筒状体の外周面に接合されている請求項１記載の形状付与具。
【請求項６】
一端部に被挿入物の取り込み口を有し該取り込み口から被挿入物を挿入可能な筒状体と、該筒状体の巻き上げ用の巻き上げ用糸とを備え、前記筒状体の外周面に、前記巻き上げ用糸を挿通案内する挿通孔部が設けられており、前記巻き上げ用糸は、その一端が前記筒状体の他端部の近傍に止着され、前記挿通孔部に挿通案内されて該筒状体の外周面にスパイラル状に巻き付けられており、
前記挿通孔部は、前記巻き上げ用糸に沿って該巻き上げ用糸全体を被覆するように配された帯状部材の両側端部を、該筒状体の外周面に接合させて形成されている形状付与具。
【請求項７】
一端部に被挿入物の取り込み口を有し該取り込み口から被挿入物を挿入可能な筒状体と、該筒状体の巻き上げ用の巻き上げ用糸が挿通された巻き上げ用糸挿通長尺体とを備え、前記筒状体の外周面に、前記巻き上げ用糸挿通長尺体がスパイラル状に設けられており、前記巻き上げ用糸は、その一端が前記巻き上げ用糸挿通長尺体の一端部から露出して前記筒状体の他端部の近傍に止着されている形状付与具。
【請求項８】
前記被挿入物は毛髪であり、毛髪保持具として使用される請求項１〜７の何れかに記載の形状付与具。
【発明の詳細な説明】
【０００１】
【発明の属する技術分野】
本発明は、形状付与具に関する。
【０００２】
【従来の技術及び発明が解決しようとする課題】
特開２００３−３３２１６号公報及び国際公開第０３／００７７５２号パンフレットには、本出願人による「一端部に毛髪取り込み口を有し該毛髪取り込み口から毛髪を挿入可能な筒状体と、該筒状体の巻き上げ用の巻き上げ用糸とを備え、前記筒状体の外周面には、前記巻き上げ用糸を挿通する小孔が、スパイラル状に間欠的に設けられており、前記巻き上げ用糸は、その一端が該筒状体の他端部の近傍に止着され、前記小孔に順次挿通されて前記筒状体の外周面にスパイラル状に巻き付けられている毛髪保持具」が記載されている。この毛髪保持具によれば、毛髪が筒状体の内部に挿入された状態で前記巻き上げ用糸の他端を引っ張ることにより、該毛髪を該筒状体ごと巻き上げることができ、簡便な操作で毛髪の巻き上げを行うことができる。
このような毛髪保持具は、筒状体に挿入された被挿入物に所定の形状を付与することのできる形状付与具の一種であり、該毛髪保持具によれば、毛髪に所定の形状を付与することができる。
【０００３】
しかし、前述の構成を有する毛髪保持具を製造するには、筒状体に小孔をスパイラル状に間欠的に設け、その後、該小孔に巻き上げ用糸を順次挿通する必要があり、その製造が容易ではなく、また、糸挿通部である該小孔が強度的に十分なものではなかった。
【０００４】
従って、本発明の目的は、筒状体の外周面に巻き上げ用糸をスパイラル状に容易に巻き付けることができ、糸挿通部の強度に優れ、また、容易に製造することのできる形状付与具を提供することにある。
【０００５】
【特許文献１】
特開２００３−３３２１６号公報
【特許文献２】
国際公開第０３／００７７５２号パンフレット
【０００６】
【課題を解決するための手段】
本発明は、一端部に被挿入物の取り込み口を有し該取り込み口から被挿入物を挿入可能な筒状体と、該筒状体の巻き上げ用の巻き上げ用糸とを備え、前記筒状体の外周面に、前記巻き上げ用糸を挿通案内する挿通孔部が、それぞれ所定間隔をあけて複数個設けられており、前記巻き上げ用糸は、その一端が前記筒状体の他端部の近傍に止着され、前記挿通孔部に順次挿通案内されて該筒状体の外周面にスパイラル状に巻き付けられており、前記各挿通孔部は、それぞれ、前記巻き上げ用糸を跨がせた短片における該巻き上げ用糸を挟んだ両側端部を、該筒状体の外周面に接合させて形成されている形状付与具を提供することにより前記目的を達成したものである。
【０００７】
また、本発明は、一端部に被挿入物の取り込み口を有し該取り込み口から被挿入物を挿入可能な筒状体と、該筒状体の巻き上げ用の巻き上げ用糸とを備え、前記筒状体の外周面に、前記巻き上げ用糸を挿通案内する挿通孔部が設けられており、前記巻き上げ用糸は、その一端が前記筒状体の他端部の近傍に止着され、前記挿通孔部に挿通案内されて該筒状体の外周面にスパイラル状に巻き付けられており、前記挿通孔部は、前記巻き上げ用糸に沿って該巻き上げ用糸全体を被覆するように配された帯状部材の両側端部を、該筒状体の外周面に接合させて形成されている形状付与具を提供することにより前記目的を達成したものである。
【０００８】
また、本発明は、一端部に被挿入物の取り込み口を有し該取り込み口から被挿入物を挿入可能な筒状体と、該筒状体の巻き上げ用の巻き上げ用糸が挿通された巻き上げ用糸挿通長尺体とを備え、前記筒状体の外周面に、前記巻き上げ用糸挿通長尺体がスパイラル状に設けられており、前記巻き上げ用糸は、その一端が前記巻き上げ用糸挿通長尺体の一端部から露出して前記筒状体の他端部の近傍に止着されている形状付与具を提供することにより前記目的を達成したものである。
【０００９】
【発明の実施の形態】
本発明の形状付与具は、筒状体に挿入された被挿入物に所定の形状を付与し、その状態を保つことができるものであり、特に、毛髪に所定の形状を付与することのできる毛髪保持具として好適に使用される。
以下本発明の形状付与具を、その好ましい実施形態である毛髪保持具に基づき図面を参照しながら説明する。
【００１０】
本実施形態の毛髪保持具は、図１及び図２に示すように、一端部に被挿入物である毛髪の取り込み口２１を有し該取り込み口２１から毛髪を挿入可能な筒状体２と、該筒状体２の巻き上げ用の巻き上げ用糸３とを備え、前記筒状体２の外周面に、前記巻き上げ用糸３を挿通案内する挿通孔部５が、それぞれ所定間隔をあけて複数個設けられており、前記巻き上げ用糸３は、その一端３１が前記筒状体２の他端部２２の近傍に止着され、前記挿通孔部５に順次挿通案内されて該筒状体２の外周面にスパイラル状に巻き付けられており、前記各挿通孔部５は、それぞれ、前記巻き上げ用糸３を跨がせた短片４１における該巻き上げ用糸３を挟んだ両側縁部４３を、該筒状体２の外周面に接合させて形成されている。
【００１１】
本実施形態の毛髪保持具１について詳述する。毛髪保持具１は、図１に示すように、細長筒形状で、略楕円形状の断面を有する筒状体２からなる。この筒状体は、各種可撓性材料が用いられているため（後述）、該筒状体２の外周面に力を加えれば、該筒状体２の断面を円形状（図２参照）や扁平形状にすることができる。筒状体２は、一端部２１及び他端部２２を有しており、各端部は開口している。一端部２１は取り込み口となっている。毛髪Ｈは、筒状体２内に取り込み口２１から挿入されて保持される（図３参照）。筒状体２の長さは、処理すべき毛髪の長さに応じて適切な長さとされている。筒状体２の長さは一般に５０〜６００ｍｍ程度の範囲である。
毛髪保持具１を構成する筒状体２は、１枚の帯状シートをその両側縁部同士で接合して形成されている。筒状体２を扁平形状にしたときにおける該筒状体２の幅は、好ましくは５〜２００ｍｍ、更に好ましくは１０〜９０ｍｍである。
【００１２】
本実施形態の毛髪保持具１の筒状体２には、図１及び図２に示すように、その外周面に、筒状体２の巻き上げ用の巻き上げ用糸３がスパイラル状に巻き付けられている。巻き上げ用糸３は、筒状体２内に挿入された状態の毛髪を、該筒状体２ごと巻き上げる手段として用いられる。本明細書において巻き上げとは、毛髪に所定のくせ付けをすること全般を意味し、本来の巻き上げに加えて例えば湾曲や屈曲なども包含される。
【００１３】
巻き上げ用糸３は、図１及び図２に示すように、筒状体２の外周面に（詳述すると、筒状体２を扁平形状にしたときにおける該筒状体２における両側縁部に）、それぞれ所定間隔をあけて設けられた複数の挿通孔部５に順次挿通案内されている。
挿通孔部５は、それぞれ、巻き上げ用糸３を筒状体２の軸方向に跨がせた短片４１における両側縁部４３，４３を、該筒状体２の外周面に接合させて形成されている。即ち、短片４１の筒状体２における軸方向の中央部４２は、図２に示すように、巻き上げ用糸３を跨いでおり、筒状体２の外周面に接合されておらず、また、短片４１における筒状体２の軸方向の両側縁部４３は、巻き上げ用糸３を挟んだ状態で筒状体２の外周面に接合されている。本実施形態においては、隣接する中央部４２，４２間は、筒状体２の外表面に連続的に接合されている。挿通孔部５は、巻き上げ用糸３が挿通できる程度の大きさがあればよい。
【００１４】
筒状体２の軸方向に隣接する挿通孔部５の中間点間の筒状体２の軸方向に沿う間隔Ｌ１〔図２（ａ）参照〕は、筒状体２をスムーズに巻き上げし得るスパイラル形状で、巻き上げ用糸３を筒状体２に巻き付ける上で、好ましくは２５〜３００ｍｍ、更に好ましくは４０〜８０ｍｍである。
【００１５】
本実施形態の毛髪保持具１においては、複数個の前記短片４１は、互いに隣接する前記両側縁部４３，４３がそれぞれ接続され、１本の帯状部材４を形成している。前記帯状部材４は、前記筒状体２の外周面を軸方向に２分する位置にそれぞれ設けられている。
帯状部材４の幅は、好ましくは１〜１００ｍｍ、更に好ましくは２〜１０ｍｍである。
【００１６】
前記中央部４２の筒状体２の軸方向の長さＬ２〔図２（ａ）参照〕は、巻き上げ用糸３が特に抵抗なく移動可能な長さであることが好ましく、また、巻き上げ用糸３の案内性が低下しない程度の長さであることが好ましい。従って、中央部４２の前記長さＬ２は、好ましくは１〜１０ｍｍ、更に好ましくは２〜５ｍｍである。
【００１７】
筒状体２を構成する材料としては、各種可撓性材料が用いられる。その例としては、不織布、多孔性又は非多孔性の樹脂フィルム、紙、金属板又はこれらの複合体などが挙げられ、具体的用途に応じて適切な材料が選択される。例えば、筒状体２内に挿入された状態の毛髪に対して筒状体２の外部から毛髪処理剤を施したいときには、該毛髪処理剤に対して透過性を有する材料を用いればよい。また、挿入されている毛髪のみに毛髪処理剤を施したいときには、該毛髪処理剤に対して非透過性を有する材料を用いればよい。本実施形態においては、不織布からなる帯状シートを用いている。
また、帯状シート同士の接合には、ヒートシール、超音波シール、接着剤、粘着テープ、縫製などが用いられ、本実施形態においては、ヒートシールにより接合されている。
【００１８】
巻き上げ用糸３は、図１に示すように、その一端３１が筒状体２の他端部２２近傍にて引き抜かれないように止着されている。巻き上げ用糸３の固定には、ホットメルト、ヒートシール、接着剤などが用いられ、本実施形態においては、ホットメルトにより固定されている。
また、巻き上げ用糸３は、その他端３２が筒状体２の最も取り込み口２１寄りに位置する挿通孔部５の位置において、自由状態になっている。これによって、巻き上げ用糸３の他端３２を引っ張ると、毛髪保持具１は、スパイラル状に変形することになる（詳細については更に後述する）。
【００１９】
巻き上げ用糸３は、これを引っ張って毛髪の巻き上げ操作を行うときに、引きちぎれない程度の強度及び巻き上げ操作を円滑に行い得る柔軟性を有していることが好ましく、この点から、各種樹脂などの合成物、木綿や麻などの天然物、レーヨンなどの半天然物、各種金属、又はこれらの複合体などから構成されていることが好ましい。また、巻き上げ用糸３は、糸状のものに限られず、例えば細長い帯状のものであってもよい。
【００２０】
次に、前述の図１に示す実施形態の毛髪保持具の使用方法について、図３を参照しながら説明する。
本実施形態の毛髪保持具１は、図３に示すように、先端に毛髪のフック部１１を有する毛髪挿入具１０と組み合わせて用いると、毛髪保持具内への毛髪Ｈの挿入が容易となる。この毛髪挿入具１０は、図３に示すように、細長形状の把持部１２と、該把持部１２の先端に取り付けられたフック部１１とを備えている。フック部１１は、毛髪保持具１内に挿入される毛髪を引っ掛けるために用いられ、変形可能になされている。
【００２１】
毛髪挿入具１０は、図３に示すように、毛髪挿入具１０のフック部１１を筒状体２の取り込み口２１側に向けて挿入された状態で使用される。使用に先立ち、毛髪挿入具１０のフック部１１を、筒状体２の取り込み口２１から突出させる。そして、フック部１１に所望量の毛髪を引っ掛け、この状態下に毛髪挿入具１０の他端部から引き出されている毛髪挿入具１０の把持部１２を引っ張る。これによって、フック部１１に引っ掛けられている毛髪Ｈがフック部１１と共に筒状体２内に挿入される。
【００２２】
フック部１１が筒状体２内に引き入れられると、該筒状体２内の所定位置において、フック部１１による毛髪Ｈの引っ掛けが解除され、毛髪Ｈは筒状体２内に円滑に挿入される。フック部１１は、筒状体２の他端部２２から筒状体２の外に引き出される。
【００２３】
本実施形態の筒状体２の一使用方法について、パーマネント処理を例にとり図３を参照しながら説明する。先ず図３（ａ）に示すように、筒状体２内に毛髪挿入具１０を挿入し、該毛髪挿入具１０のフック部１１を、筒状体２の取り込み口２１から突出させる。そして、筒状体２の他端部２２から、毛髪挿入具１０の把持部１２の端部を引き出す。
この状態下に、毛髪挿入具１０のフック部１１に所望量の毛髪Ｈを通して引っ掛ける。
【００２４】
次に図３（ｂ）に示すように、筒状体２の取り込み口２１付近の位置を一方の手（図示せず）で軽く押さえる。また筒状体２の他端部２２から引き出されている毛髪挿入具１０の把持部１２の端部を他方の手（図示せず）で把持し、毛髪挿入具１０を筒状体２の外に引き出す。その操作によって、フック部１１に引っ掛けられていた毛髪Ｈが首尾良く筒状体２の筒状体２内に挿入、収納される。
【００２５】
次に、図３（ｃ）に示すように、筒状体２の取り込み口２１付近の位置を一方の手（図示せず）で軽く押さえる。この状態下に、筒状体２の外側面に巻き付けられている巻き上げ用糸３の一端３２（自由端）を引っ張る。すると図３（ｄ）に示すように、毛髪Ｈは筒状体２と共にスパイラル状に巻き上げられて、小さく纏められる。
【００２６】
次に、この状態を保持するために、筒状体２から引き出されている巻き上げ用糸３の根元をクリップ１３で係止する。
この状態下に、筒状体２に向けて第１のパーマネント処理剤（還元剤）を付与する（図示せず）。筒状体２はパーマネント処理剤に対して透過性の材料から構成されているので、パーマネント処理剤は筒状体２を透過して毛髪に施される。
【００２７】
所定時間放置後、筒状体２に向けて第２のパーマネント処理剤（酸化剤）を付与し、再び所定時間放置する。これによって、筒状体２内に挿入されている毛髪Ｈに対して、その巻き上げ形態のパーマネントウエーブが掛けられる。その後、巻き上げ用糸３に取り付けられたクリップ１３を外し、毛髪Ｈの巻き上げ状態を解除する。引き続き毛髪Ｈを筒状体２から取り出し、すすぎ洗いをし、更にシャンプー及びブローをする。
【００２８】
所望により以上の操作を繰り返し、所定時間放置する。その後、巻き上げ用糸３に取り付けたクリップ１３を外し、毛髪の巻き上げ状態を解除する。引き続き毛髪Ｈを筒状体２から取り出し、すすぎ洗いをし、更にシャンプー及びブローをする。
【００２９】
このように、本実施形態の毛髪保持具によれば、毛髪の巻き上げを極めて簡単に且つ短時間で行うことができ、被挿入物である毛髪に所定の形状を容易に付与することができる。
また、本実施形態の毛髪保持具によれば、挿通孔部５が巻き上げ用糸３を跨がせた短片４１（帯状部材４）における巻き上げ用糸３を挟んだ両側縁部４３を筒状体２の外周面に接合させて形成されているため、前記特許文献１及び２記載の毛髪保持具のような、糸挿通部の強度不足を解消することができる。
そして、本実施形態の毛髪保持具によれば、挿通孔部の形成が容易で、筒状体の外周面に巻き上げ用糸をスパイラル状に巻き付けた状態で容易に設けることができ、かかる構成の毛髪保持具を容易に製造することができる。
【００３０】
図１に示す実施形態においては、挿通孔部５は、短片４１が何れも巻き上げ用糸３を筒状体２の軸方向に跨ぎ、短片４１における巻き上げ用糸３を挟んだ両側縁部４３が該筒状体２の外周面に接合されて形成されており、また、複数個の短片４１は、互いに隣接する両側縁部４３がそれぞれ接続され、１本の帯状部材４を形成しており、更に、帯状部材４は、筒状体２の外周面に該筒状体の長手方向に沿って２個設けられているが、本発明の形状付与具（毛髪保持具）においては、挿通孔部の形成形態は、斯る構成に制限されない。以下に、他の実施形態について説明する。
尚、以下の説明において特に説明しない点については、図１に示す実施形態における説明が適宜適用され、各構成部材の符合については同じ符合を付してある。
【００３１】
図４に示す実施形態の毛髪保持具においては、挿通孔部５は、短片４１が何れも巻き上げ用糸３を該巻き上げ用糸３に沿って跨ぎ、短片４１における巻き上げ用糸３を挟んだ両側縁部が該筒状体２の外周面に接合されて形成されている。尚、各挿通孔部５は、筒状体２の周方向に１８０°おいてジグザグな位置に配置されている。
図４に示す実施形態の毛髪保持具においても、図１に示す実施形態の毛髪保持具と同様に使用することができ、同様の効果が得られる。
【００３２】
図５に示す実施形態の毛髪保持具においては、筒状体２の外周面に、巻き上げ用糸３を挿通案内する挿通孔部５が設けられており、巻き上げ用糸３は、その一端３１が筒状体２の他端部２２の近傍に止着され、挿通孔部５に挿通案内されて該筒状体２の外周面にスパイラル状に巻き付けられており、挿通孔部５は、巻き上げ用糸３に沿って該巻き上げ用糸３全体を被覆するように配された帯状部材４の両側端部を、該筒状体２の外周面に接合させて形成されている。
図５に示す実施形態の毛髪保持具においても、図１に示す実施形態の毛髪保持具と同様に使用することができ、同様の効果が得られる。
【００３３】
本発明の形状付与具は、図６〜図９に示す実施形態の毛髪保持具のように、一端部に被挿入物である毛髪の取り込み口２１を有し該取り込み口２１から毛髪を挿入可能な筒状体２と、該筒状体２の巻き上げ用の巻き上げ用糸３が挿通された巻き上げ用糸挿通長尺体６とを備え、前記筒状体２の外周面に、前記巻き上げ用糸挿通長尺体６がスパイラル状に設けられており、前記巻き上げ用糸３は、その一端３１が前記巻き上げ用糸挿通長尺体６の一端部から露出して前記筒状体２の他端部２２の近傍に止着されている構成とすることができる。
【００３４】
図６に示す実施形態の毛髪保持具においては、巻き上げ用糸挿通長尺体６は、巻き上げ用糸３の挿通された長尺状の部材であり、断面視で幅方向に延びる板状の基部６１と該基部６２から上方に湾出した湾出部６２とからなる。巻き上げ用糸挿通長尺体６は、基部６１と湾出部６１との間に巻き上げ用糸３が挿通された状態で、基部６１の下面を筒状体２の外周面に接合されている。
図６に示す実施形態によれば、巻き上げ用糸３の巻き付けられていない状態の筒状体２に、巻き上げ用糸３が挿通された状態の巻き上げ用糸挿通長尺体６を筒状体２の外周面の所定位置にスパイラル状に接合することにより、図５に示す実施形態のような、スパイラル状に延びる挿通孔部５に巻き上げ用糸３が挿通された構成の毛髪保持具を容易に製造することができる。
【００３５】
図７に示す実施形態の毛髪保持具においては、巻き上げ用糸挿通長尺体６は、湾出部６２が巻き上げ用糸挿通長尺体６の長手方向に間欠的に設けられており、巻き上げ用糸３が部分的に露出している点を除き、図６に示す巻き上げ用糸挿通長尺体６と同様の構成を有している。
図７に示す実施形態によれば、巻き上げ用糸３の巻き付けられていない状態の筒状体２に、巻き上げ用糸３が挿通された状態の巻き上げ用糸挿通長尺体６を筒状体２の外周面の所定位置にスパイラル状に接合することにより、図４に示す実施形態のような、短片が巻き上げ用糸３を巻き上げ用糸３に沿って跨いで形成された挿通孔部５に巻き上げ用糸３が挿通された構成の毛髪保持具を容易に製造することができる。
【００３６】
図８に示す実施形態の毛髪保持具においては、巻き上げ用糸挿通長尺体６は、その断面が、該巻き上げ用糸挿通長尺体６の幅方向に離間した一対の基部６３と該一対の基部６３を連結する湾出部６４とからなる略Ω字状に形成されている。
斯る形態の巻き上げ用糸挿通長尺体６においては、図８（ｂ）に示すように、一対の基部６３の間の開口部を通して巻き上げ用糸３を湾出部６４の内側に配置し、巻き上げ用糸３を略包囲することができる。
【００３７】
斯る形態の巻き上げ用糸挿通長尺体６においては、湾出部６４の内側下方が開口しているが、一対の基部６３の間隔が巻き上げ用糸３の直径（幅）よりも小さくなっているため、巻き上げ用糸３を湾出部６４の内側に配置した後に開口部を封鎖しなくても、巻き上げ用糸３が巻き上げ用糸挿通長尺体６から脱落することはない。巻き上げ用糸３を巻き上げ用糸挿通長尺体６における湾出部６４の内側に配置するには、巻き上げ用糸３を巻き上げ用糸挿通長尺体６の開口部から圧入するか、又は一対の基部６３の間を拡げ、その状態下で巻き上げ用糸３を巻き上げ用糸挿通長尺体６の開口部から湾出部６４の内側に配置すればよい。
【００３８】
図８に示す実施形態によれば、巻き上げ用糸挿通長尺体６の湾出部６４の内側に巻き上げ用糸３を配置した状態で、基部６３の下面を筒状体２の外周面に接合することにより、巻き上げ用糸挿通長尺体６と筒状体２の外周面とで巻き上げ用糸３を完全に包囲することができる。そのため、図６に示す実施形態と同様の構成の毛髪保持具を、巻き上げ用糸挿通長尺体６への巻き上げ用糸３の配置の点で、容易に製造することができる。
【００３９】
図９に示す実施形態の毛髪保持具においては、巻き上げ用糸挿通長尺体６は、湾出部６４が巻き上げ用糸挿通長尺体６の長手方向に間欠的に設けられており、巻き上げ用糸３が部分的に露出している点を除き、図８に示す巻き上げ用糸挿通長尺体６と同様の構成を有している。
図９に示す実施形態によれば、巻き上げ用糸挿通長尺体６の湾出部６４の内側に巻き上げ用糸３を配置した状態で、基部６３の下面を筒状体２の外周面に接合することにより、巻き上げ用糸挿通長尺体６と筒状体２の外周面とで巻き上げ用糸３を略包囲することができる。そのため、図７に示す実施形態と同様の構成の毛髪保持具を、巻き上げ用糸挿通長尺体６への巻き上げ用糸３の配置の点で、容易に製造することができる。
【００４０】
本発明の形状付与具における「巻き上げ用糸が挿通された巻き上げ用糸挿通長尺体」の「巻き上げ用糸が挿通された」とは、巻き上げ用糸を挿通案内することができれば、図６に示す実施形態のように巻き上げ用糸３を完全に包囲している形態に制限されず、図７及び図９に示す実施形態のように巻き上げ用糸３が部分的に露出している形態、図８及び図９に示す実施形態のように、巻き上げ用糸挿通長尺体の一部に開口部が形成されているが巻き上げ用糸挿通長尺体を筒状体の外周面に接合すると該開口部が封鎖される形態等も含む。
【００４１】
以上、本発明の形状付与具の好ましい一実施形態として毛髪保持具について説明したが、本発明の形状付与具は、前述した毛髪保持具に制限されることなく、本発明の趣旨を逸脱しない限り、適宜変更が可能である。
【００４２】
前記実施形態の毛髪保持具においては、帯状部材４は、短片４１の中央部４２以外の部分が全面的に筒状体２の外周面に接合されているが、挿通孔部５が形成されていれば、前記中央部４２以外の部分の一部が筒状体２の外周面に接合されていなくてもよい。
図１に示す形態の毛髪保持具においては、複数個の短片４１は、互いに隣接する両側縁部４３がそれぞれ接続され、１本の帯状部材４を形成しているが、本発明の毛髪保持具においては、複数個の短片がそれぞれ接続されておらず、非連続部材から構成されていてもよい。
【００４３】
また、図１に示す実施形態の毛髪保持具においては、複数個の挿通孔部５は、筒状体２の外周面に、平面視で（開口部から視て）１８０°の角度をあけて設けられているが、かかる角度は１８０°に限定されず、例えば、１２０°の角度をあけて設けられていてもよい。
また、図１に示す実施形態の毛髪保持具においては、筒状体２の外周面を軸方向に２分する位置に２本の帯状部材４が設けられているが、巻き上げ用糸を筒状体の外周面にスパイラル状に巻き付けることができれば、帯状部材は１本でもよく、３本以上でもよい。隣接する帯状部材間の筒状体周方向の角度も任意である。
【００４４】
短片（帯状部材）と筒状体の外周面との接合は、ホットメルト、超音波シール、ヒートシール、粘着テープ、縫製等で行うことができる。
本発明の形状付与具は、前述の毛髪保持具に制限されず、例えば、本形状付与具で形状を付与した布片を染色剤に浸す染色法（絞り染め）や食品加工時の形状付与（例えば、ソーセージ等の形状付与）等に用いることができる。
【００４５】
本発明の形状付与具を毛髪保持具として用いた場合において、筒状体が染毛剤に対して非透過性の材料から構成されているときには、毛髪をこの筒状体内に挿入した後、取り込み口から染毛剤を供給し、毛髪の全体に行き渡らせるようにして使用することができる。
【００４６】
【発明の効果】
本発明の形状付与具によれば、筒状体の挿入された被挿入物に所定の形状を簡便な操作で付与することができ、従来、問題であった糸挿通部の強度低下を解消することができる。また本発明の形状付与具によれば、筒状体の外周面に巻き上げ用糸をスパイラル状に巻き付けた状態で容易に設けることができ、容易に製造することができる。
【図面の簡単な説明】
【図１】図１は、本発明の形状付与具の一実施形態である毛髪保持具を示す正面斜視図である。
【図２】図２は、本発明の形状付与具の一実施形態である毛髪保持具を示す図で、（ａ）は図１に示すＡ−Ａ断面図、（ｂ）は図１に示すＢ−Ｂ断面図である。
【図３】図３は、本発明の一実施形態である毛髪保持具の一使用態様を示す模式的斜視図である。
【図４】図４は、毛髪保持具の他の実施形態を示す模式的斜視図である。
【図５】図５は、毛髪保持具の更に他の実施形態を示す模式的斜視図である。
【図６】図６は、毛髪保持具の更に他の実施形態における巻き上げ用糸挿通長尺体を示す部分拡大斜視図である。
【図７】図７は、毛髪保持具の更に他の実施形態における巻き上げ用糸挿通長尺体を示す図で、（ａ）は部分拡大斜視図、（ｂ）は（ａ）におけるＢ−Ｂ断面図である。
【図８】図８は、毛髪保持具の更に他の実施形態における巻き上げ用糸挿通長尺体を示す図で、（ａ）は部分拡大斜視図、（ｂ）は巻き上げ用糸挿通長尺体への巻き上げ用糸の配置手順を示す断面図である。
【図９】図９は、毛髪保持具の更に他の実施形態における巻き上げ用糸挿通長尺体を示す図で、（ａ）は部分拡大斜視図、（ｂ）は巻き上げ用糸挿通長尺体に巻き上げ用糸が配置された状態を示す断面図である。
【符号の説明】
１  毛髪保持具
２  筒状体
２１  取り込み口（一端部）
２２  他端部
３  巻き上げ用糸
３１  一端
３２  他端
４  帯状部材
４１  短片
４２  中央部
４３  両側縁部
５  挿通孔部
６  巻き上げ用糸挿通長尺体
１０  毛髪挿入具
１１  フック部
１２  把持部
Ｈ  毛髪
【図１】
2005046175.tif 000003
【図２】
2005046175.tif 000004
【図３】
2005046175.tif 000005
【図４】
2005046175.tif 000006
【図５】
2005046175.tif 000007
【図６】
2005046175.tif 000008
【図７】
2005046175.tif 000009
【図８】
2005046175.tif 000010
【図９】
2005046175.tif 000011